【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
酸化剤圧縮機とガスタービンエンジンとを備えているシステムであって、
前記ガスタービンエンジンが、
タービン燃焼器を有する燃焼器セクションと、
前記タービン燃焼器からの燃焼生成物によって駆動されるタービンと、
前記タービンによって駆動される排気ガス圧縮機であって、該排気ガス圧縮機が、排気流を圧縮して前記タービン燃焼器に送るように構成され、前記酸化剤圧縮機が、酸化剤流を圧縮して該タービン燃焼器に送るように構成される前記排気ガス圧縮機と、
複数の加熱ガス供給源に連結された入口酸化剤加熱システムであって、該複数の加熱ガス供給源が、前記燃焼生成物及び前記排気流を含み、該加熱ガス供給源からの加熱ガスを前記酸化剤圧縮機の入口に送るように構成されている入口酸化剤加熱システムと、を有している、
ことを特徴とするシステム。
【請求項２】
前記入口酸化剤加熱システムは、前記酸化剤圧縮機への酸化剤入口流を前記燃焼生成物の第１の部分及び前記排気流の第２の部分と組み合わせるように構成されている、
請求項１に記載のシステム。
【請求項３】
前記入口酸化剤加熱システムは、前記燃焼生成物の第１の部分及び前記排気流の第２の部分を前記酸化剤圧縮機の前記入口に搬送するように構成された入口酸化剤加熱導管を備えている、
請求項１に記載のシステム。
【請求項４】
前記タービンからの前記排気流の圧力を増加させるように構成された排気ガスブロアと、
前記排気ガスブロアからの前記排気流を冷却するように構成された排気ガス冷却器とを含み、前記入口酸化剤加熱導管が、前記排気ガスブロアと前記排気ガス冷却器との間で連結されている、
請求項３に記載のシステム。
【請求項５】
前記排気ガスブロアの上流側に配置された熱回収蒸気発生器（ＨＲＳＧ）を含み、前記ＨＲＳＧが、前記タービンからの前記排気流から蒸気を発生させるように構成されている、
請求項４に記載のシステム。
【請求項６】
前記酸化剤圧縮機からの前記酸化剤流を冷却するように構成されたインタークーラを含み、
前記入口酸化剤加熱導管は、前記インタークーラの下流側に連結され、前記複数の加熱源は、該インタークーラの出力酸化剤流を含み、該入口酸化剤加熱導管は、該出力酸化剤流の第３の部分を前記酸化剤圧縮機の前記入口に搬送するように構成されている、
請求項３に記載のシステム。
【請求項７】
前記酸化剤圧縮機からの前記酸化剤流を圧縮するように構成されたブースタ酸化剤圧縮機を含み、
前記入口酸化剤加熱導管は、前記ブースタ酸化剤圧縮機の下流側に連結され、前記複数の加熱源は、該ブースタ酸化剤圧縮機の出力酸化剤流を含み、該入口酸化剤加熱導管は、該出力酸化剤流の第４の部分を前記酸化剤圧縮機の前記入口に搬送するように構成されている、
請求項３に記載のシステム。
【請求項８】
前記複数の加熱ガス供給源の排気流加熱ガス供給源が、前記排気ガス圧縮機の圧縮機入口、該排気ガス圧縮機の圧縮機出口、該排気ガス圧縮機の圧縮機段、排気ガス処理システム、前記タービンのタービン出口、及び第２のガスタービンエンジンのうちの少なくとも１つを含み、
前記複数の加熱ガス供給源の燃焼生成物加熱ガス供給源が、前記タービン燃焼器、前記タービンのタービン入口、該タービンのタービン段、及び燃焼システムのうちの少なくとも１つを含む、
請求項１に記載のシステム。
【請求項９】
前記ガスタービンエンジンに連結された排気ガス抽出システムと、前記排気ガス抽出システムに連結された炭化水素生成システムとを含む、
請求項１に記載のシステム。
【請求項１０】
前記ガスタービンエンジンが、量論的排気ガス再循環（ＳＥＧＲ）ガスタービンエンジンである、
請求項１に記載のシステム。
【請求項１１】
タービン燃焼器からの燃焼生成物でガスタービンエンジンのタービンを駆動する段階と、
前記タービンを用いて排気ガス圧縮機を駆動する段階と、
前記排気ガス圧縮機を用いて排気流を圧縮して前記タービン燃焼器に送る段階と、
酸化剤圧縮機を用いて酸化剤流を圧縮して前記タービン燃焼器に送る段階と、
前記燃焼生成物の第１の部分を入口酸化剤加熱システムの第１の制御バルブにかつ前記排気流の第２の部分を該入口酸化剤加熱システムの第２の制御バルブに送る段階であって、該第１の制御バルブ及び該第２の制御バルブが、前記酸化剤圧縮機の入口に連結される前記送る段階と、
前記第１の制御バルブ及び前記第２の制御バルブを制御して前記入口への酸化剤入口流の温度を制御する段階と、を含む、
ことを特徴とする方法。
【請求項１２】
混合器を用いて前記酸化剤圧縮機への前記酸化剤入口流を前記燃焼生成物の前記第１の部分、又は前記排気流の前記第２の部分、又はこれらの何れかの組合せのうちの前記少なくとも１つと混合する段階を含む、
請求項１１に記載の方法。
【請求項１３】
前記入口酸化剤加熱システムを用いて前記酸化剤圧縮機のアイシングを低減する段階と、前記酸化剤圧縮機のサージングを低減する段階と、前記酸化剤圧縮機の全入口流量を調節する段階と、又は前記酸化剤圧縮機の効率を調節する段階、又はこれらの何れかの組合せのうちの少なくとも１つを含む、
請求項１１に記載の方法。
【請求項１４】
第１の入口酸化剤加熱導管を用いて前記燃焼生成物の前記第１の部分を前記第１の制御バルブに搬送する段階と、第２の入口酸化剤加熱導管を用いて前記排気流の前記第２の部分を前記第２の制御バルブに搬送する段階とを含む、
請求項１１に記載の方法。
【請求項１５】
酸化剤入口導管を用いて前記酸化剤入口流を前記酸化剤圧縮機の前記入口に送る段階と、
前記燃焼生成物の前記第１の部分及び前記排気流の前記第２の部分を前記酸化剤入口導管に送る段階と、を含む、
請求項１４に記載の方法。
【請求項１６】
少なくとも部分的に前記ガスタービンエンジンの作動モードに基づいて前記燃焼生成物の前記第１の部分の第１の流量を調節し、かつ前記排気流の前記第２の部分の第２の流量を調節する段階を含む、
請求項１１に記載の方法。
【請求項１７】
酸化剤圧縮機の入口温度、前記酸化剤圧縮機の差圧、前記酸化剤圧縮機の全入口流量、又は前記酸化剤圧縮機の効率、又はこれらの何れかの組合せのうちの少なくとも１つを示す信号をセンサから制御システムに与える段階を含む、
請求項１６に記載の方法。
【請求項１８】
前記第１の制御バルブ及び前記第２の制御バルブを制御して入口ガイドベーンの角度をある範囲内に維持する段階を含み、
前記入口ガイドベーンは、前記酸化剤圧縮機の前記入口に連結され、かつ該酸化剤圧縮機の全入口流量を調節するように構成されている、
請求項１１に記載の方法。
【請求項１９】
システムであって、
非一時的機械可読媒体上に配置された命令を含み、
前記命令は、
タービン燃焼器からの燃焼生成物でガスタービンエンジンのタービンを駆動し、
前記タービンを用いて排気ガス圧縮機を駆動し、
前記排気ガス圧縮機を用いて排気流を圧縮して前記タービン燃焼器に送り、
酸化剤圧縮機を用いて酸化剤流を圧縮して前記タービン燃焼器に送り、
前記燃焼生成物の第１の部分を入口酸化剤加熱システムの第１の制御バルブにかつ前記排気流の第２の部分を該入口酸化剤加熱システムの第２の制御バルブに送り、該第１の制御バルブ及び該第２の制御バルブは、前記酸化剤圧縮機の入口に連結され、かつ
前記第１の制御バルブ及び前記第２の制御バルブを制御して前記入口への酸化剤入口流の温度を制御するために作動を監視又は制御するように構成されている、
ことを特徴とするシステム。
【請求項２０】
前記命令は、前記第１の制御バルブ及び前記第２の制御バルブを制御して入口ガイドベーンの角度をある範囲内に維持するために作動を監視又は制御するように構成され、
前記入口ガイドベーンは、前記酸化剤圧縮機の前記入口に連結され、かつ該酸化剤圧縮機の全入口流量を調節するように構成されている、
請求項１９に記載のシステム。